Podtech/llm-jp-corpus-v4-ja_patent huggingface dataset:
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
所定の発射操作によって発射された遊技球が流下可能な遊技領域を有する遊技盤を備え、前記遊技領域を流下した遊技球が始動口に入球することに基づいて抽選を行い、該抽選の結果に基づいて特別図柄の変動表示を行い、該抽選の結果が当りの場合に、前記特別図柄を所定の当り態様で停止表示させて遊技者に利益を付与する遊技機において、
前記抽選を含めた主たる遊技の制御を行う主制御手段と、
当該遊技機の電源が投入されるときに特定の管理者操作が行われることに基づいて、前記主制御手段が行う制御に関する設定値を設定可能な設定モードを発生させる設定モード発生手段と、を備え、
前記特別図柄の変動表示および停止表示は、前記遊技盤に設けられる所定の機能表示ユニットの表示部で行われるものであり、
前記設定モード中は、前記抽選を含めた主たる遊技の進行を不能にし、前記機能表示ユニットの表示部の態様を、前記特別図柄の変動表示中および停止表示中には表示されない特殊態様に制御するものであり、
さらに、前記設定値が表示される設定値表示部は、特定のエラー条件が成立した場合に特定エラー表示を行うように構成されてなる
ことを特徴とする遊技機。
【手続補正２】
【補正対象書類名】明細書
【補正対象項目名】０００２
【補正方法】変更
【補正の内容】
【０００２】
従来、始動口に遊技球が入賞したことに基づいて抽選を行うと共に表示装置に図柄を変動表示するようにし、抽選結果が大当りとなった場合には、表示装置に大当り図柄を停止表示して大入賞口を開閉させる遊技機が知られている。（例えば特許文献１）。
【手続補正３】
【補正対象書類名】明細書
【補正対象項目名】０００４
【補正方法】変更
【補正の内容】
【０００４】
ところで、近年では設定値を搭載した遊技機等、多種多様な遊技性を持った遊技機が多数提案されているが、設定値を搭載した遊技機については改善の余地があった。
【手続補正４】
【補正対象書類名】明細書
【補正対象項目名】０００５
【補正方法】変更
【補正の内容】
【０００５】
そこで、本発明は、上記した実情に鑑み、設定値を搭載した遊技機の利便性を高めた遊技機の提供を課題とするものである。
【手続補正５】
【補正対象書類名】明細書
【補正対象項目名】０００６
【補正方法】変更
【補正の内容】
【０００６】
上記した目的を達成するために、請求項１に係る発明においては、
所定の発射操作によって発射された遊技球が流下可能な遊技領域を有する遊技盤を備え、前記遊技領域を流下した遊技球が始動口に入球することに基づいて抽選を行い、該抽選の結果に基づいて特別図柄の変動表示を行い、該抽選の結果が当りの場合に、前記特別図柄を所定の当り態様で停止表示させて遊技者に利益を付与する遊技機において、
前記抽選を含めた主たる遊技の制御を行う主制御手段と、
前記特別図柄の変動表示および停止表示は、前記遊技盤に設けられる所定の機能表示ユニットの表示部で行われるものであり、（例えば、段落１３５２の記載参照）
前記設定モード中は、前記抽選を含めた主たる遊技の進行を不能にし、前記機能表示ユニットの表示部の態様を、前記特別図柄の変動表示中および停止表示中には表示されない特殊態様に制御するものであり、（例えば、段落１３６３の記載参照）
さらに、前記設定値が表示される設定値表示部は、特定のエラー条件が成立した場合に特定エラー表示を行うように構成されてなる（例えば、段落１３４６の記載参照）
ことを特徴とする。
【手続補正６】
【補正対象書類名】明細書
【補正対象項目名】０００７
【補正方法】変更
【補正の内容】
【０００７】
上記構成では、設定モード中は、抽選を含めた主たる遊技の進行を不能にし、機能表示ユニットの表示部を特殊態様で制御することで、遊技の進行が不能な設定モード中であることを、機能表示ユニットを通じて外部に容易に認識させることができる
【手続補正７】
【補正対象書類名】明細書
【補正対象項目名】０００８
【補正方法】変更
【補正の内容】
【０００８】
このように、本発明によれば、設定値を搭載した遊技機の利便性を高めることができる。
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
遊技球が打ち込まれることで実行可能とされた抽選により遊技が行われる遊技機において、
遊技球が打ち込まれる第１遊技領域と、前記第１遊技領域へ遊技球が打ち込まれる遊技状態と異なる遊技状態において遊技球が打ち込まれる第２遊技領域と、
前記第１遊技領域および前記第２遊技領域が形成された遊技パネルの前面に前方から取付けられるセンター役物と、前記抽選の結果に応じた表示演出を開口部を介して視認可能に実行する表示装置と、
を備え、
前記センター役物は、正面視上側に遊技球の侵入を阻害する第１区画壁部を有するとともに、第２区画壁部とワープ入口とを正面視左側に有し、前記開口部を介して視認可能な前記表示装置の前方かつ前記遊技パネルの前面より後方位置で遊技球を転動可能な振り分け部を正面視下側に有しており、
前記振り分け部は、前記第２遊技領域に打ち込まれた遊技球のみ受け入れ可能であるとともに、受け入れた遊技球を前記振り分け部よりも遊技者側に設けられた特定受入口もしくはハズレ口のいずれか一方に受け入れられるように構成されており、
前記特定受入口へ遊技球が受け入れられたことで遊技者に有利状態を付与可能とし、
前記振り分け部は転動領域を有し、前記転動領域によって遊技球を転動可能としており、前記転動領域は遊技球を前記振り分け部よりも遊技者側に設けられた前記特定受入口もしくは前記ハズレ口のいずれか一方に受け入れられるように振り分け可能な振分可能部と遊技球が遊技者側へ振り分けられないようされた振分不能部によって構成され、
前記第２遊技領域には特別受入口が設けられており、前記特別受入口へ受け入れられた遊技球が前記振り分け部へ流入される
ことを特徴とする遊技機。
【手続補正２】
【補正対象書類名】明細書
【補正対象項目名】０００５
【補正方法】変更
【補正の内容】
【０００５】
しかしながら、遊技の変化が乏しく、遊技興趣の低下を招く虞があった。
【手続補正３】
【補正対象書類名】明細書
【補正対象項目名】０００６
【補正方法】変更
【補正の内容】
【０００６】
そこで、本発明は、上記の実情に鑑み、遊技機における遊技興趣の低下を抑制することを課題とするものである。
【手続補正４】
【補正対象書類名】明細書
【補正対象項目名】０００７
【補正方法】変更
【補正の内容】
【０００７】
上記した目的を達成するために、請求項１に係る発明においては、
遊技球が打ち込まれることで実行可能とされた抽選により遊技が行われる遊技機において、
遊技球が打ち込まれる第１遊技領域と、前記第１遊技領域へ遊技球が打ち込まれる遊技状態と異なる遊技状態において遊技球が打ち込まれる第２遊技領域と、
前記第１遊技領域および前記第２遊技領域が形成された遊技パネルの前面に前方から取付けられるセンター役物と、前記抽選の結果に応じた表示演出を開口部を介して視認可能に実行する表示装置と、
を備え、
前記センター役物は、正面視上側に遊技球の侵入を阻害する第１区画壁部を有するとともに、第２区画壁部とワープ入口とを正面視左側に有し、前記開口部を介して視認可能な前記表示装置の前方かつ前記遊技パネルの前面より後方位置で遊技球を転動可能な振り分け部を正面視下側に有しており、
前記振り分け部は、前記第２遊技領域に打ち込まれた遊技球のみ受け入れ可能であるとともに、受け入れた遊技球を前記振り分け部よりも遊技者側に設けられた特定受入口もしくはハズレ口のいずれか一方に受け入れられるように構成されており、
前記特定受入口へ遊技球が受け入れられたことで遊技者に有利状態を付与可能とし、
前記振り分け部は転動領域を有し、前記転動領域によって遊技球を転動可能としており、前記転動領域は遊技球を前記振り分け部よりも遊技者側に設けられた前記特定受入口もしくは前記ハズレ口のいずれか一方に受け入れられるように振り分け可能な振分可能部と遊技球が遊技者側へ振り分けられないようされた振分不能部によって構成され、
前記第２遊技領域には特別受入口が設けられており、前記特別受入口へ受け入れられた遊技球が前記振り分け部へ流入される
ことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、遊技機における遊技興趣の低下を抑制することができる。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
端子ブロックを介してフィールドデバイスに電気的に結合されるためのＩ／Ｏモジュールであって、前記端子ブロックが、
入力電圧が第１の閾値を満たしたときに前記入力電圧を動作電圧に下げるためのサージプロテクタを含む、Ｉ／Ｏモジュールと、
前記入力電圧が前記第１の閾値を満たしたときに状態メッセージを発生させるための通信インターフェースと、を備える装置。
【請求項２】
前記サージプロテクタが、前記入力電圧が前記第１の閾値を満たしたときに、前記入力電圧で電力供給される、請求項１に記載の装置。
【請求項３】
前記第１の閾値が、第２の閾値を満たす前記入力電圧の振幅、または、何回、前記入力電圧の前記振幅が前記第２の閾値を満たしたかに対応する計数器に基づいている、請求項１または２に記載の装置。
【請求項４】
前記状態メッセージが、前記サージプロテクタの健康状態を含み、前記健康状態が前記端子ブロックまたは前記サージプロテクタの取り替えを示す、請求項１から３のいずれか１項に記載の装置。
【請求項５】
入力電流が第２の閾値を満たしたときに、前記Ｉ／Ｏモジュールの前記入力電流を下げるための電流制限モジュールと、前記入力電流が前記第２の閾値を満たしたときに、前記状態メッセージを制御装置に送信するための前記通信インターフェースであって、前記状態メッセージが前記入力電流の値を含む、通信インターフェースと、をさらに含む、請求項１から４のいずれか１項に記載の装置。
【請求項６】
電流制限モジュールであって、
前記端子ブロックの漏れ電流を測定し、
前記漏れ電流を第２の閾値と比較するための、電流制限モジュールと、
前記漏れ電流が前記第２の閾値を満たしたときに、前記状態メッセージを制御装置に送信するための前記通信インターフェースであって、前記状態メッセージが前記漏れ電流の値を含む、通信インターフェースと、をさらに含む、請求項１から５のいずれか１項に記
載の装置。
【請求項７】
Ｉ／Ｏモジュール及びフィールドデバイスに電気的に結合された端子ブロックに埋め込まれたサージプロテクタへの入力電圧を測定することと、
前記入力電圧が第１の閾値を満たしたときに、前記サージプロテクタにより、前記入力電圧を動作電圧に下げることと、
前記入力電圧が前記第１の閾値を満たしたときに、状態メッセージを発生させることと、を含む、方法。
【請求項８】
前記入力電圧が前記第１の閾値を満たしたときに、前記入力電圧で前記サージプロテクタに電力供給を行うことをさらに含む、請求項７に記載の方法。
【請求項９】
前記第１の閾値を満たすことが、前記入力電圧の振幅を基準電圧振幅と比較することを含む、請求項７または８に記載の方法。
【請求項１０】
前記第１の閾値を満たすことが、計数器の値を第２の閾値と比較することを含み、前記値が、何回、前記入力電圧の振幅が前記第１の閾値を満たしたかに対応する、請求項７から９のいずれか１項に記載の方法。
【請求項１１】
前記状態メッセージが、前記サージプロテクタの健康状態を含み、前記健康状態が前記端子ブロックまたは前記サージプロテクタの取り替えを示す、請求項７から１０のいずれか１項に記載の方法。
【請求項１２】
入力電流が第２の閾値を満たしたときに、前記Ｉ／Ｏモジュールの前記入力電流を下げることと、前記入力電流が前記第２の閾値を満たしたときに、前記状態メッセージを制御装置に送信することであって、前記状態メッセージが前記入力電流の値を含む、送信することと、をさらに含む、請求項７から１１のいずれか１項に記載の方法。
【請求項１３】
前記端子ブロックの漏れ電流を測定することと、
前記漏れ電流を第２の閾値と比較することと、
前記漏れ電流が前記第２の閾値を満たしている場合、前記状態メッセージを制御装置に送信することであって、前記状態メッセージが前記漏れ電流の値を含む、送信することと、をさらに含む、請求項７から１２のいずれか１項に記載の方法。
【請求項１４】
実行されると、機械に、少なくとも以下
Ｉ／Ｏモジュール及びフィールドデバイスに電気的に結合された端子ブロックに埋め込まれたサージプロテクタへの入力電圧を測定することと、
前記入力電圧が第１の閾値を満たしたときに、前記サージプロテクタにより、前記入力電圧を動作電圧に下げることと、
前記入力電圧が前記第１の閾値を満たしたときに、状態メッセージを発生させることと、を行わせる命令を含む、非一時的コンピュータ可読記憶媒体。
【請求項１５】
実行されると、前記機械に、前記入力電圧が前記第１の閾値を満たしたときに、前記入力電圧での前記サージプロテクタへの電力供給を少なくとも行わせる命令をさらに含む、請求項１４に記載の非一時的コンピュータ可読記憶媒体。
【請求項１６】
前記第１の閾値を満たすことが、前記入力電圧の振幅を基準電圧振幅と比較することを含む、請求項１４または１５に記載の非一時的コンピュータ可読記憶媒体。
【請求項１７】
前記第１の閾値を満たすことが、計数器の値を第２の閾値と比較することを含み、前記
値が、何回、前記入力電圧の振幅が前記第１の閾値を満たしたかに対応する、請求項１４から１６のいずれか１項に記載の非一時的コンピュータ可読記憶媒体。
【請求項１８】
前記状態メッセージが、前記サージプロテクタの健康状態を含み、前記健康状態が、前記端子ブロックまたは前記サージプロテクタの取り替えを示す、請求項１４から１７のいずれか１項に記載の非一時的コンピュータ可読記憶媒体。
【請求項１９】
実行されると、前記機械に、入力電流が第２の閾値を満たしたときに、少なくとも前記Ｉ／Ｏモジュールの前記入力電流を下げさせ、前記入力電流が前記第２の閾値を満たしたときに前記状態メッセージを制御装置に送信させる命令をさらに含み、前記状態メッセージが前記入力電流の値を含む、請求項１４から１８のいずれか１項に記載の非一時的コンピュータ可読記憶媒体。
【請求項２０】
実行されると、前記機械に、少なくとも、以下
前記端子ブロックの漏れ電流を測定することと、
前記漏れ電流を第２の閾値と比較することと、
前記漏れ電流が前記第２の閾値を満たしている場合、前記状態メッセージを制御装置に送信することであって、前記状態メッセージが前記漏れ電流の値を含む、送信することと、を行わせる命令をさらに含む、請求項１４から１９のいずれか１項に記載の非一時的コンピュータ可読記憶媒体。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
第１の入力信号を提供するための入力モジュールであって、第１のマイクロフォンを備える前記入力モジュールと、
前記第１の入力信号に基づくプロセッサ出力信号を提供するためのプロセッサと、
第１の抑制入力信号を含む一つ以上の抑制入力信号に基づく第１の抑制出力信号を提供するための抑制器と、
前記抑制器に接続されている第１の加算器であって、前記プロセッサ出力信号及び前記第１の抑制出力信号に基づく第１の加算器出力信号を提供するように構成されている前記第１の加算器と、
前記第１の加算器出力信号に基づく出力信号を音声出力信号に変換するためのレシーバと、
を備え、
前記抑制器は、前記第１の抑制入力信号に、第１の遅延と、第１のゲインを有する第１のフィルタと、を適用するように構成されているコム抑制器であり、
前記第１の遅延は、４ｍｓから１０ｍｓ、又は、８ｍｓから２０ｍｓの範囲内であり、
前記コム抑制器は、主抑制部を備え、
前記主抑制部は、第１の主入力を備え、
前記第１の主入力は、前記第１の抑制入力信号を受信するために、前記入力モジュールに接続されている、又は、前記第１の抑制入力信号を受信するために、前記プロセッサに接続されている、又は、前記第１の加算器出力信号を前記第１の抑制入力信号として受信するために、前記第１の加算器の出力に接続されており、
前記主抑制部は、第１の主出力信号を形成するために、前記第１の抑制入力信号に、前記第１の遅延としての第１の主遅延と、前記第１のゲインとしての第１の主ゲインと、を適用するように構成されており、
前記第１の主出力信号は、前記第１の抑制出力信号の少なくとも一部を形成する、聴覚装置。
【請求項２】
前記コム抑制器は、前記第１の遅延及び前記第１のフィルタを制御するように構成されている抑制器コントローラを備える、請求項１に記載の聴覚装置。
【請求項３】
前記抑制器コントローラは、前記第１の入力信号に基づいて、前記主抑制部を制御するように構成されている、請求項２に記載の聴覚装置。
【請求項４】
前記抑制器コントローラは、前記入力モジュールからの入力信号に基づいて、前記第１の遅延及び前記第１のフィルタを制御するように構成されている、請求項２又は３に記載の聴覚装置。
【請求項５】
前記入力モジュールは、外耳道入力信号を提供するための外耳道マイクロフォンを備え、
前記抑制器コントローラは、前記入力モジュールからの第２の入力信号に基づいて、前記第１の遅延及び前記第１のフィルタを制御するように構成されており、
前記外耳道入力信号が前記第２の入力信号である、請求項４に記載の聴覚装置。
【請求項６】
前記抑制器コントローラは、前記プロセッサからの制御信号に基づいて、前記第１の遅延及び前記第１のフィルタを制御するように構成されている、請求項２から５のいずれか一項に記載の聴覚装置。
【請求項７】
前記抑制器コントローラは抑制器モードを判定し、前記抑制器モードが第１の抑制器モードである場合に、第１の抑制器スキームを適用し、前記抑制器モードが第２の抑制器モードである場合に、第２の抑制器スキームを適用するように構成されている、請求項２から６のいずれか一項に記載の聴覚装置。
【請求項８】
前記主抑制部は、前記第１の抑制入力信号に基づく第２の主出力信号を形成するために、前記第１の抑制入力信号の少なくとも一部に、第２の主遅延と第２の主フィルタとを適用するように構成されており、
前記第２の主出力信号は、前記第１の抑制出力信号の少なくとも一部を形成する、請求項２から４のいずれか一項に従属する請求項１から７のいずれか一項に記載の聴覚装置。
【請求項９】
前記入力モジュールは、第２のマイクロフォンと第１のビームフォーマとを備え、
前記第１のビームフォーマは、前記第１のマイクロフォン及び前記第２のマイクロフォンに接続されており、前記第１の入力信号としての第１及び第２のマイクロフォン信号に基づくビームフォーム信号を提供するように構成されている、請求項１から８のいずれか一項に記載の聴覚装置。
【請求項１０】
前記聴覚装置は、フィルタバンクと第２の加算器とを備え、
前記フィルタバンクは、前記プロセッサ出力信号をフィルタリングして少なくとも第１のフィルタ出力信号と第２のフィルタ出力信号とを形成するために、前記プロセッサに接続されており、
前記第１の加算器は、前記第１のフィルタ出力信号を受信するように構成されており、
前記第２の加算器は、前記第２のフィルタ出力信号と前記第１の加算器出力信号とを受信するように構成されており、
前記第２の加算器は、前記レシーバに第２の加算器出力信号を提供するために前記レシーバに接続されている、請求項１から９のいずれか一項に記載の聴覚装置。
【請求項１１】
入力モジュール及びプロセッサを備える聴覚装置を作動させる方法であって、
音声入力を第１の入力信号に変換するステップと、
前記第１の入力信号に基づくプロセッサ出力信号を提供するステップと、
第１の抑制入力信号を含む一つ以上の抑制入力信号に基づく第１の抑制出力信号を提供するステップと、
前記プロセッサ出力信号と、前記第１の抑制出力信号と、に基づく第１の加算器出力信号を提供するステップと、
前記第１の加算器出力信号に基づく出力信号を、音声信号に変換するステップと、
を備え、
前記第１の抑制出力信号を提供するステップは、第１の遅延と、第１のゲインを有する第１のフィルタと、を前記第１の抑制入力信号に適用するステップを備え、
前記第１の遅延は、４ｍｓから１０ｍｓ、又は、８ｍｓから２０ｍｓの範囲内であり、
前記第１の抑制入力信号は、前記第１の入力信号、前記第１の加算器出力信号、若しくは、前記プロセッサ出力信号を備える、又は、前記第１の入力信号、前記第１の加算器出力信号、若しくは、前記プロセッサ出力信号に基づく、
方法。
【手続補正書】
【提出日】令和3年6月28日(2021.6.28)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
酸化物と、
前記酸化物上の第１の導電体、および第２の導電体と、
前記酸化物上の第３の導電体と、
前記酸化物と、前記第３の導電体の間に配置され、かつ前記第３の導電体の側面を覆うように配置された第１の絶縁体と、
前記第３の導電体、および前記第１の絶縁体上の第２の絶縁体と、
前記第１の導電体上と、前記第２の絶縁体の側面と、前記第１の絶縁体を介して、前記第３の導電体の側面と、に配置された第３の絶縁体と、
前記第２の導電体上と、前記第２の絶縁体の側面と、前記第１の絶縁体を介して、前記第３の導電体の側面と、に配置された第４の絶縁体と、
前記第３の絶縁体の上面、および側面に接し、かつ前記第１の導電体と電気的に接続する第４の導電体と、
前記第４の絶縁体の上面、および側面に接し、かつ前記第２の導電体と電気的に接続する第５の導電体と、を有する半導体装置。
【請求項２】
請求項１において、
前記第１の絶縁体は、前記酸化物と、前記第３の導電体の間において、第１の膜厚を有し、かつ、前記第１の導電体または前記第２の導電体と、前記第３の導電体の間において、第２の膜厚を有し、
前記第１の膜厚は、前記第２の膜厚より薄い半導体装置。
【請求項３】
請求項１または請求項２において、
前記第１の絶縁体は、前記酸化物と前記第３の導電体の間において、第５の絶縁体を有し、
前記第１の導電体または前記第２の導電体と、前記第３の導電体の間において、前記第５の絶縁体、および第６の絶縁体を有する半導体装置。
【請求項４】
請求項１乃至３のいずれか一項において、
前記第２の絶縁体は、アルミニウムおよびハフニウムの少なくとも一方を含む酸化物、またはシリコンを含む窒化物を含む半導体装置。
【請求項５】
請求項１乃至４のいずれか一項において、
前記第３の絶縁体、および前記第４の絶縁体は、アルミニウムおよびハフニウムの少なくとも一方を含む酸化物、またはシリコンを含む窒化物を含む半導体装置。
【請求項６】
請求項１乃至５のいずれか一項において、
前記酸化物は、Ｉｎと、元素Ｍ（ＭはＡｌ、Ｇａ、Ｙ、またはＳｎ）と、Ｚｎと、を有する半導体装置。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
サッカロマイセス・バヤヌス（Ｓａｃｃｈａｒｏｍｙｃｅｓ  ｂａｙａｎｕｓ）  Ｂ９Ｌ３株（ＮＩＴＥ  Ｐ−０２５０７）と、サッカロマイセス・セレビシエ（Ｓａｃｃｈａｒｏｍｙｃｅｓ  ｃｅｒｅｖｉｓｉａｅ）  Ｈ２４Ｕ１Ｍ株（ＮＩＴＥ  Ｐ−０２５０８）とを交雑することを特徴とする、サッカロマイセス（Ｓａｃｃｈａｒｏｍｙｃｅｓ）属に属する製パン用酵母の作出方法。
【請求項２】
製パン用酵母サッカロマイセス（Ｓａｃｃｈａｒｏｍｙｃｅｓ）ｓｐ．ＨＢ９株（ＮＩＴＥ  Ｐ−０２４７０）。
【請求項３】
請求項２に記載の製パン用酵母を含有するパン生地。
【請求項４】
請求項３に記載のパン生地を発酵させ、その後焼成することを特徴とする、パン類の製造方法。
【手続補正２】
【補正対象書類名】明細書
【補正対象項目名】発明の名称
【補正方法】変更
【補正の内容】
【発明の名称】良好な風香味特性を備える製パン用交雑酵母
【手続補正書】
【提出日】令和3年6月18日(2021.6.18)
【手続補正１】
【補正対象書類名】特許請求の範囲
【補正対象項目名】請求項７
【補正方法】変更
【補正の内容】
【請求項７】
請求項４または５に記載の冷却装置であって、
前記昇降機構は、前記基板の昇降と同期して、各矯正ピンの前記下端部を前記冷却位置に位置させる下方位置と、各矯正ピンの前記下端部を前記冷却位置よりも高い位置に引き上げた上方位置との間で前記矯正ピンを移動させる冷却装置。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
絶縁層を形成する第１工程と、
厚みが互いに異なる第１配線および第２配線を、前記絶縁層の厚み方向一方面に、順に形成する第２工程とを備え、
前記第２工程は、
種膜を、前記絶縁層の前記厚み方向一方面に形成する工程と、
第１レジストを、前記種膜の前記厚み方向一方面に、前記第１配線の反転パターンで形成する工程と、
前記第１配線を、前記第１レジストから露出する前記種膜の前記厚み方向一方面にめっきにより形成する工程と、
前記第１レジストを除去する工程と、
第２レジストを、前記種膜の厚み方向一方面に、前記第１配線を被覆するように、前記第２配線の反転パターンで形成する工程と、
前記第２配線を、前記第２レジストから露出する前記種膜の厚み方向一方面にめっきにより形成する工程と、
前記第２レジストを除去する工程と、
前記第１配線および前記第２配線から露出する前記種膜を除去する工程と
を順に備え、
前記第１レジストは、開口部を有し、
前記第２レジストは、第２開口部を有し、
前記第２開口部は、前記開口部が形成された位置に重ならないことを特徴とする、配線回路基板の製造方法。
【請求項２】
前記第１レジストを除去する工程では、前記種膜が残ることを特徴とする、請求項１に記載の配線回路基板の製造方法。
【請求項３】
前記第２配線が、前記第１配線より厚いことを特徴とする、請求項１または２に記載の配線回路基板の製造方法。
【請求項４】
前記第２配線は、前記第１配線に対して独立することを特徴とする、請求項１〜３のいずれか一項に記載の配線回路基板の製造方法。
【請求項５】
前記種膜の厚みが、５０ｎｍ以上、１０００ｎｍ以下であることを特徴とする、請求項１〜４のいずれか一項に記載の配線回路基板の製造方法。
【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
行方向に複数設けられ、光電変換回路で生成された電荷に基づく信号を出力する第１回路と、
複数の前記第１回路が接続され、複数の前記第１回路から信号を出力させる第１信号を出力する第１制御回路と、
前記第１回路から出力される信号を読み出すための読出回路と、
前記行方向に複数設けられ、前記第１制御回路と接続される複数の第２回路と、
複数の前記第２回路と接続され、前記読出回路による信号の読み出しを制御する第２制御回路と、を備え、
前記第１制御回路は、前記第１信号とともに複数の前記第２回路に第２信号を出力し、
前記第２制御回路は、前記第２信号に基づいて、前記読出回路による信号の読み出しを制御する撮像素子。
【請求項２】
請求項１に記載の撮像素子において、
前記第１制御回路と接続され、行方向に設けられた複数の前記第１回路に前記第１信号を出力するための第１制御信号線と、
前記第１制御回路と接続され、行方向に設けられた複数の前記第２回路に前記第２信号を出力するための第２制御信号線と、
を備える撮像素子。
【請求項３】
請求項２に記載の撮像素子において、
前記第２制御回路は、前記第２制御信号線と接続される撮像素子。
【請求項４】
請求項１から３のいずれか一項に記載の撮像素子において、
前記第２制御回路は、複数の前記第２回路の間に設けられる撮像素子。
【請求項５】
請求項１から４のいずれか一項に記載の撮像素子において、
行方向に設けられた前記第２回路の数は、行方向に設けられた前記第１回路の数と同じである撮像素子。
【請求項６】
請求項１から５のいずれか一項に記載の撮像素子において、
前記第１回路と前記第２回路とは、同じ構成を有する回路または同じ抵抗値を有する回路である撮像素子。
【請求項７】
請求項１から６のいずれか一項に記載の撮像素子において、
前記第１回路は、列方向に複数設けられ、
前記第１制御回路は、列方向に設けられた複数の前記第１回路に前記第１信号を順次出力する度に、行方向に設けられた複数の前記第２回路に前記第２信号を出力する撮像素子。
【請求項８】
請求項１から７のいずれか一項に記載の撮像素子において、
前記読出回路は、行方向に複数設けられ、
複数の前記読出回路は、行方向に設けられる複数の前記第１回路から出力される信号をそれぞれ読み出す撮像素子。
【請求項９】
請求項１から８のいずれか一項に記載の撮像素子において、
前記第２制御回路は、前記第２信号に基づいて、行方向に設けられる複数の前記読出回路を制御する撮像素子。
【請求項１０】
請求項９に記載の撮像素子において、
前記第２制御回路は、前記第２信号に基づいて、行方向に設けられる複数の前記読出回路による信号の読み出しのタイミングを制御する撮像素子。
【請求項１１】
請求項１から１０のいずれか一項に記載の撮像素子において、
前記第１回路から出力される信号を増幅する増幅回路と、
前記増幅回路による信号の増幅を制御する第３制御回路と、
を備え、
前記第１制御回路は、前記第１信号とともに複数の前記増幅回路に第３信号を出力し、
前記第３制御回路は、前記第３信号に基づいて、前記増幅回路による信号の増幅を制御する撮像素子。
【請求項１２】
請求項１１に記載の撮像素子において、
前記増幅回路は、行方向に複数設けられ、
複数の前記増幅回路は、行方向に設けられる複数の前記第１回路から出力される信号をそれぞれ増幅する撮像素子。
【請求項１３】
請求項１１または１２に記載の撮像素子において、
前記第３制御回路は、前記第３信号に基づいて、行方向に設けられる前記増幅回路による信号の増幅のタイミングを制御する撮像素子。
【請求項１４】
請求項１から１３のいずれか一項に記載の撮像素子において、
前記第１回路は、前記光電変換回路で生成された電荷に基づくアナログ信号をデジタル信号に変換するAD変換回路である撮像素子。
【請求項１５】
請求項１から１３のいずれか一項に記載の撮像素子において、
前記第１回路は、前記光電変換回路で生成された電荷に基づく信号を記憶する記憶回路である撮像素子。
【請求項１６】
請求項１から１５のいずれか一項に記載の撮像素子において、
前記光電変換回路を有する第１基板と、
前記第１回路と前記第２回路と前記読出回路とを有し、前記第１基板に積層される第２基板と、
を備える撮像素子。
【請求項１７】
請求項１から１５のいずれか一項に記載の撮像素子と、
前記撮像素子から出力された信号に基づいて画像データを生成する生成部と、
を備える撮像装置。
【手続補正２】
【補正対象書類名】明細書
【補正対象項目名】発明の名称
【補正方法】変更
【補正の内容】
【発明の名称】撮像素子及び撮像装置
【手続補正３】
【補正対象書類名】明細書
【補正対象項目名】０００１
【補正方法】変更
【補正の内容】
【０００１】
本発明は、撮像素子及び撮像装置に関する。
【手続補正４】
【補正対象書類名】明細書
【補正対象項目名】０００４
【補正方法】変更
【補正の内容】
【０００４】
第１の態様によると、撮像素子は、行方向に複数設けられ、光電変換回路で生成された電荷に基づく信号を出力する第１回路と、複数の前記第１回路が接続され、複数の前記第１回路から信号を出力させる第１信号を出力する第１制御回路と、前記第１回路から出力される信号を読み出すための読出回路と、前記行方向に複数設けられ、前記第１制御回路と接続される複数の第２回路と、複数の前記第２回路と接続され、前記読出回路による信号の読み出しを制御する第２制御回路と、を備え、前記第１制御回路は、前記第１信号とともに複数の前記第２回路に第２信号を出力し、前記第２制御回路は、前記第２信号に基づいて、前記読出回路による信号の読み出しを制御する。
第２の態様によると、撮像装置は、上述の撮像素子と、前記撮像素子から出力された信号に基づいて画像データを生成する生成部と、を備える。
【手続補正書】
【提出日】令和3年9月14日(2021.9.14)
【手続補正１】
【補正対象書類名】特許請求の範囲
【補正対象項目名】全文
【補正方法】変更
【補正の内容】
【特許請求の範囲】
【請求項１】
帯状薄鋼板から所定の形状に打抜き形成された鉄心薄板を積層接着してなる積層鉄心の製造装置であって、
上側ホルダ及び下側ホルダと、
前記上側ホルダ及び前記下側ホルダの少なくとも何れか一方に設けられ、間欠移送される前記帯状薄鋼板の前記鉄心薄板に対応する部位の接着剤塗布面に接着剤を塗布する接着剤塗布装置と、
前記下側ホルダに設けられて前記帯状薄鋼板の間欠移送方向に沿って当該帯状薄鋼板の移送を案内すると共に前記帯状薄鋼板の上方への移動を制限する左右のガイド部材と、
前記上側ホルダに設けられ、前記接着剤塗布装置による接着剤塗布位置における前記帯状薄鋼板の位置決めを行うべく前記帯状薄鋼板に形成されたパイロット孔に嵌挿されるパイロットピンと、
前記下側ホルダに設けられたダイプレートと、
前記上側ホルダに上下方向に変位可能に設けられて前記ダイプレートの上面と対向する下面を有し、前記接着剤塗布装置による接着剤塗布位置にある前記帯状薄鋼板を前記ダイプレートの上面に押し付けるストリッパプレートとを有する積層鉄心の製造装置。
【請求項２】
前記ストリッパプレートを前記下側ホルダに向けて付勢するストリッパ用ばねを更に有し、
前記ストリッパプレートは前記ストリッパ用ばねのばね力によって前記帯状薄鋼板を前記ダイプレートの上面に押し付けるように構成されている請求項１に記載の積層鉄心の製造装置。
【請求項３】
前記パイロットピンはストレート軸部を含み、前記ストレート軸部は、前記ストリッパプレートが前記ストリッパ用ばねによる付勢によって前記上側ホルダに対する最降下位置にある状態において、当該ストリッパプレートの下面より下方に突出した位置にある請求項２に記載の積層鉄心の製造装置。
【請求項４】
前記下側ホルダに上下方向に変位可能に設けられ、前記帯状薄鋼板の下面に当接して前記帯状薄鋼板を前記ダイプレートの上面より離間させるための複数のリフタを更に有する請求項１〜３の何れか一項に記載の積層鉄心の製造装置。
【請求項５】
前記ストリッパプレートの上昇時に当該ストリッパプレートが前記帯状薄鋼板の上面に当接し且つ前記各リフタが前記帯状薄鋼板の下面に当接した状態で前記帯状薄鋼板を前記ダイプレートの上面より離間させるべく前記各リフタを上方に向けて付勢する複数のリフタ用ばねを更に有する請求項４に記載の積層鉄心の製造装置。
【請求項６】
前記各リフタは前記ガイド部材を兼ねている請求項４又は５に記載の積層鉄心の製造装置。
【請求項７】
前記ガイド部材は、前記ダイプレートの上面に上方から第１の所定間隔をおいて対向し、前記帯状薄鋼板の上方への移動を制限する下面と、前記ダイプレートの上面に上方から第１の所定間隔より小さい第２の所定間隔をおいて対向し前記各リフタの上面が当接する下向きのストッパ面とを有する請求項５に記載の積層鉄心の製造装置。
【請求項８】
前記接着剤塗布装置は、前記接着剤塗布面の複数の所定位置の各々に接着剤を転写するために、前記接着剤塗布面に向けて前記接着剤を吐出する複数の吐出孔を含む転写式のものである請求項１〜７の何れか一項に記載の積層鉄心の製造装置。
【請求項９】
前記接着剤塗布装置は、
前記各吐出孔に対して前記接着剤を、所定圧力をもって供給する接着剤供給装置と、
前記各吐出孔が前記接着剤塗布面に対して前記接着剤を転写可能な転写位置と当該転写位置より退避して前記接着剤を転写不能な非転写位置との間に移動させる進退駆動装置とを有する請求項８に記載の積層鉄心の製造装置。
【請求項１０】
上側ホルダと下側ホルダとを有するプレス装置を用いて帯状薄鋼板から所定の形状に打抜き形成された鉄心薄板を積層接着してなる積層鉄心の製造方法であって、
前記下側ホルダに設けられた左右のガイド部材によって前記帯状薄鋼板の上方への移動を制限し、上側ホルダが上昇した状態において、前記下側ホルダに上下可能に設けられ且つリフタ用ばねによって上方に向けて付勢されたリフタにより前記帯状薄鋼板を、前記下側ホルダに設けられたダイプレートの上面より離れたリフトアップ状態で、且つ前記帯状薄鋼板の間欠移送方向に沿った移送を案内した状態で、前記帯状薄鋼板を間欠移送する移送工程と、
前記上側ホルダ及び前記下側ホルダの少なくとも何れか一方に設けられた接着剤塗布装置によって前記帯状薄鋼板の接着剤塗布面に接着剤を塗布する塗布工程と、
前記上側ホルダに設けられたパイロットピンを、前記移送工程の完了後の前記上側ホルダの降下途中に、前記帯状薄鋼板に形成されたパイロット孔に挿入するパイロット挿入工程と、
前記上側ホルダに上下方向に変位可能に設けられて前記ダイプレートの上面と対向する下面を有し、ストリッパ用ばねによって前記下側ホルダに向けて付勢されたストリッパプレートによって、前記パイロット挿入工程の完了後の前記上側ホルダの降下途中に、前記帯状薄鋼板を前記リフタの降下移動を伴って前記下側ホルダに設けられた前記ダイプレートの上面に押し付ける押付工程とを有し、
前記塗布工程は、前記パイロットピンが前記パイロット孔に挿入され、且つ前記リフタの降下移動を伴って前記ストリッパプレートによって前記帯状薄鋼板が前記ダイプレートの上面に押し付けられる時に或いは押し付けられた状態で接着剤の塗布を行い、接着剤の塗布完了後の前記上側ホルダの上昇により、前記リフタの上昇移動を伴って当該リフタが前記帯状薄鋼板の下面に当接し且つ前記ストリッパプレートが前記帯状薄鋼板の上面に当接した状態で前記帯状薄鋼板を前記リフトアップ状態に戻す積層鉄心の製造方法。
【請求項１１】
前記塗布工程は、複数の吐出孔の各々より接着剤を前記接着剤塗布面に向けて吐出し、前記接着剤塗布面の複数の所定位置に設定された塗布点の各々に前記接着剤を転写する工程を含む請求項１０に記載の積層鉄心の製造方法。
【請求項１２】
前記鉄心薄板は複数のティース部を含み、前記ティース部に前記塗布点を少なくとも一つ有する請求項１１に記載の積層鉄心の製造方法。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
実行者端末、依頼者端末、およびブロックチェーンネットワークとネットワークを通じて接続され、
前記依頼者端末を有する依頼者に紐付けられる保有ポイントを記憶するポイントＤＢと、
前記依頼者端末から前記ブロックチェーンネットワークに、スマートコントラクトの生成に必要な預託が行われたことを検知して、前記預託される有価価値に応じたポイントを前記ポイントＤＢに付与するポイント預託部と、
前記実行者端末によるタスクの実行に基づいて生成されるタスク完了信号の受信に応じて前記ブロックチェーンネットワークから送信される仮想通貨を受領する仮想通貨受領部と、
を備える、仮想通貨管理装置。
【請求項２】
前記ポイント預託部は、ネットワークを通じて仮想通貨および法定通貨の交換レートを参照し、前記交換レートに応じて前記預託される有価価値に応じたポイントを前記ポイントＤＢに付与する、請求項１記載の仮想通貨管理装置。
【請求項３】
前記実行者端末から前記ブロックチェーンネットワークに対しタスク完了信号が送信されるとき、前記実行者端末が前記ブロックチェーンネットワークから前記タスクに応じた仮想通貨を受領したことを検知する受領検知部をさらに備え、前記受領検知部は、前記ポイントＤＢに記憶されている保有ポイントのうち、前記仮想通貨に相当する分のポイントを失効させる、
請求項１又は２記載の仮想通貨管理装置。
【請求項４】
前記仮想通貨受領部により受信される前記仮想通貨の量に相当する有価価値を、さらに別の有価価値に交換するポイント交換部をさらに備える、
請求項１乃至３のいずれかに記載の仮想通貨管理装置。
【請求項５】
前記実行者端末から、前記タスクに対する報酬を仮想通貨で受領するか、ポイントで受領するかの判別を要求する判別要求が送信されるとき、いずれで受領するかを判別する判別部をさらに備える、
請求項１乃至４のいずれかに記載の仮想通貨管理装置。
【請求項６】
前記判別部は、前記スマートコントラクトが生成された第１時点での仮想通貨および法定通貨の交換レートと、前記タスクが実行された第２時点での前記交換レートと、を比較し、前記報酬に対する法定通貨の価値が高い方の形態で受領することを決定する、
請求項５記載の仮想通貨管理装置。
【請求項７】
ブロックチェーンネットワークと、
仮想通貨管理装置と、
前記ブロックチェーンネットワークにスマートコントラクトの実行請求および前記スマートコントラクトの実行に必要な預託処理を送信する依頼者端末と、
タスクを実行し、前記タスクに応じたポイント交換要求を生成して前記仮想通貨管理装置に送信する実行者端末と、
がネットワークを介して通信可能に構成されるシステムであって、
前記仮想通貨管理装置は、
前記依頼者端末を有する依頼者に紐付けられる保有ポイントを記憶するポイントＤＢと、
前記依頼者端末から前記ブロックチェーンネットワークに、スマートコントラクトの生成に必要な預託が行われたことを検知して、前記預託される有価価値に応じたポイントを前記ポイントＤＢに付与するポイント預託部と、
前記実行者端末によるタスクの実行に基づいて生成されるタスク完了信号の受信に応じて前記ブロックチェーンネットワークから送信される仮想通貨を受領する仮想通貨受領部と、
を備える、仮想通貨管理システム。
【請求項８】
実行者端末、依頼者端末、およびブロックチェーンネットワークとネットワークを通じて接続される仮想通貨管理装置が、仮想通貨を管理する方法であって、
前記仮想通貨管理装置は、前記依頼者端末を有する依頼者に紐付けられる保有ポイントを記憶するポイントＤＢを有し、
前記依頼者端末から前記ブロックチェーンネットワークに、スマートコントラクトの生成に必要な預託が行われたことを検知して、前記預託される有価価値に応じたポイントを前記ポイントＤＢに付与するステップと、
前記実行者端末によるタスクの実行に基づいて生成されるタスク完了信号の受信に応じて前記ブロックチェーンネットワークから送信される仮想通貨を受領するステップと、
を含む、仮想通貨の管理方法。
【請求項９】
実行者端末、依頼者端末、およびブロックチェーンネットワークとネットワークを通じて接続されるコンピュータに実行させる仮想通貨の管理プログラムであって、
前記コンピュータは、前記依頼者端末を有する依頼者に紐付けられる保有ポイントを記憶するポイントＤＢを有し、
前記依頼者端末から前記ブロックチェーンネットワークに、スマートコントラクトの生成に必要な預託が行われたことを検知して、前記預託される有価価値に応じたポイントを前記ポイントＤＢに付与する命令と、
前記実行者端末によるタスクの実行に基づいて生成されるタスク完了信号の受信に応じて前記ブロックチェーンネットワークから送信される仮想通貨を受領する命令と、
をコンピュータに実行させる、仮想通貨の管理プログラム。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
少なくとも精算処理を実行可能な複数の精算装置と、監視装置とを含むＰＯＳシステムにおいて、
前記監視装置は、
複数の前記精算装置の夫々の精算状況を表示可能な表示手段と、
１以上の前記精算装置に精算業務処理を実行させる実行指示を受け付ける指示受付手段と、
前記指示受付手段が受け付けた前記実行指示に基づいて、１以上の前記精算装置における前記精算業務処理の実行を制御する制御手段と
を備え、
前記表示手段は、
前記実行指示を受け付けた前記精算装置について、店員の作業が必要な状態になった場合には店員の作業が必要な状態である旨の表示態様で表示することを特徴とするＰＯＳシステム。
【請求項２】
前記表示手段は、
前記実行指示を受け付けた前記精算装置について、店員に対するメッセージを表示することを特徴とする請求項１に記載のＰＯＳシステム。
【請求項３】
少なくとも精算処理を実行可能な複数の精算装置を含むＰＯＳシステムにおいて前記精算装置を監視する監視装置であって、
複数の前記精算装置の夫々の精算状況を表示可能な表示手段と、
１以上の前記精算装置に精算業務処理を実行させる実行指示を受け付ける指示受付手段と、
前記指示受付手段が受け付けた前記実行指示に基づいて、１以上の前記精算装置における前記精算業務処理の実行を制御する制御手段と
を備え、
前記表示手段は、
前記実行指示を受け付けた前記精算装置について、店員の作業が必要な状態になった場合には店員の作業が必要な状態である旨の表示態様で表示することを特徴とする監視装置。
【請求項４】
少なくとも精算処理を実行可能な複数の精算装置を含むＰＯＳシステムにおいて前記精算装置を監視する監視装置としてコンピュータを機能させるプログラムであって、
前記コンピュータを、
複数の前記精算装置の夫々の精算状況を表示可能な表示手段、
１以上の前記精算装置に精算業務処理を実行させる実行指示を受け付ける指示受付手段、
前記指示受付手段が受け付けた前記実行指示に基づいて、１以上の前記精算装置における前記精算業務処理の実行を制御する制御手段
として機能させ、
前記表示手段は、
前記実行指示を受け付けた前記精算装置について、店員の作業が必要な状態になった場合には店員の作業が必要な状態である旨の表示態様で表示することを特徴とするプログラム。
【請求項５】
少なくとも精算処理を実行可能な複数の精算装置を含むＰＯＳシステムにおいて前記精算装置を監視する監視装置における監視方法であって、
複数の前記精算装置の夫々の精算状況を表示可能な表示ステップと、
１以上の前記精算装置に精算業務処理を実行させる実行指示を受け付ける指示受付ステップと、
前記指示受付ステップにて受け付けた前記実行指示に基づいて、１以上の前記精算装置における前記精算業務処理の実行を制御する制御ステップと
を含み、
前記表示ステップは、
前記指示受付ステップにて前記実行指示を受け付けた前記精算装置について、店員の作業が必要な状態になった場合には店員の作業が必要な状態である旨の表示態様で表示することを特徴とする監視方法。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
検体からの光を分光することに前記検体に含まれている成分を識別する識別ユニットであって、
前記検体からのラマン散乱光を採光する採光ユニットと、
採光された前記ラマン散乱光を導光する導光手段と、
導光された前記ラマン散乱光を分光する分光素子と、分光された前記ラマン散乱光を受光するように配置され主走査と前記主走査の方向と交差する方向において前記主走査より低い周波数で走査される副走査とにより撮像する撮像部と、を有し、
前記ラマン散乱光の一つに対応して前記撮像部に形成されるスペクトル像が前記主走査方向に沿うように前記撮像部に投影されることを特徴とする識別ユニット。
【請求項２】
前記撮像部は、エリアイメージセンサであることを特徴とする請求項１に記載の識別ユニット。
【請求項３】
前記エリアイメージセンサは、ＣＭＯＳイメージセンサであることを特徴とする請求項２に記載の識別ユニット。
【請求項４】
前記スペクトル像の投影方向と前記主走査方向とがなす角は、０°以上５°以下であることを特徴とする請求項１乃至３のいずれか一項に記載の識別ユニット。
【請求項５】
前記導光手段は前記ラマン散乱光を前記分光素子に向けて導光する出射端を有する請求項１乃至４のいずれか１項に記載の識別ユニット。
【請求項６】
前記採光ユニットは、前記検体に光を照射する照明光学系を備えていることを特徴とする請求項１乃至５のいずれか一項に記載の識別ユニット。
【請求項７】
前記撮像部のシャッタ方式は、ローリングシャッタ方式であることを特徴とする請求項１乃至６のいずれか一項に記載の識別ユニット。
【請求項８】
前記撮像部のリセット方式は、ローリングリセット方式であることを特徴とする請求項７に記載の識別ユニット。
【請求項９】
前記撮像部から前記ラマン散乱光のスペクトルデータを取得し、前記検体に含まれる樹脂を識別する識別処理を行うデータ処理部、をさらに有する請求項１乃至８のいずれか１項に記載の識別ユニット。
【請求項１０】
請求項１乃至９のいずれか１項に記載の識別ユニットと、
前記採光ユニットが採光可能な位置に前記検体が載置される載置部と、をさらに有する識別装置。
【請求項１１】
前記載置部は、前記検体が搬送される搬送面を有し前記検体を所定の搬送方向に搬送する搬送ユニットを含むことを特徴とする請求項１０に記載の識別装置。
【請求項１２】
前記分光素子の数および前記撮像部の数は、前記採光ユニットの数よりも少ないことを特徴とする請求項１０または１１に記載の識別装置。
【請求項１３】
前記採光ユニットと前記導光手段は、複数の前記検体に対応する複数のラマン散乱光を前記分光素子に導光するように、前記分光素子に対して、それぞれ複数設けられている請求項１２に記載の識別装置。
【請求項１４】
前記複数の導光手段の出射端側において、前記複数の導光手段は列状に配置されている部分を有することを特徴とする請求項１２または１３に記載の識別装置。
【請求項１５】
前記分光素子により分光された前記複数のラマン散乱光のスペクトル像のそれぞれは、前記副走査の方向において前記撮像部の異なる位置に投影されることを特徴とする請求項１４に記載の識別装置。
【請求項１６】
前記複数の採光ユニットは、前記搬送方向と交差する搬送幅方向において互いに異なる位置に配置されていることを特徴とする請求項１４または１５に記載の識別装置。
【請求項１７】
前記複数の採光ユニットは、前記搬送方向において互いに異なる位置に配置されていることを特徴とする請求項１４乃至１６のいずれか１項に記載の識別装置。
【請求項１８】
請求項１４乃至１７のいずれか一項に記載の識別装置と、
前記搬送ユニットの前記搬送方向の下流側に配置され、前記識別装置の識別結果に基づいて前記検体を選別する選別装置と、
を有することを特徴とする選別システム。
【手続補正２】
【補正対象書類名】明細書
【補正対象項目名】００１０
【補正方法】変更
【補正の内容】
【００１０】
本発明の一側面としての識別ユニットは、検体からの光を分光することに前記検体に含まれている成分を識別する識別ユニットであって、前記検体からのラマン散乱光を採光する採光ユニットと、採光された前記ラマン散乱光を導光する導光手段と、導光された前記ラマン散乱光を分光する分光素子と、分光された前記ラマン散乱光を受光するように配置され主走査と前記主走査の方向と交差する方向において前記主走査より低い周波数で走査される副走査とにより撮像する撮像部と、を有し、
前記ラマン散乱光の一つに対応して前記撮像部に形成されるスペクトル像が前記主走査方向に沿うように前記撮像部に投影されることを特徴とする。